(57)【要約】【課題】既存のG-PON通信システムを大幅に変更することなく、低コストでデジタルデータ信号とデジタル映像信号とを並列して通信することが可能であって、波長資源も大幅に節約することが可能である。【解決手段】第1タイプのONU 44、第2タイプのONU 42及び第3タイプのONU 40の少なくとも二つのタイプのONUを含む複数台のONUが、PON 30を介して、OLT 10にアクセス可能である状態に構成されたPON通信システムである。OLTは、局側CDM送受信部14と、局側TDM送受信部12と、OLT用WDMフィルタ28とを具えている。第1タイプのONUは、CDM送信部74とCDM受信部76と光合分岐器72と波長分離フィルタ70とを具えている。第2タイプのONUは、TDM送信部66とTDM受信部68とTDM用WDMフィルタ64とを具えている。第3タイプのONUは、加入者側TDM送受信部46と加入者側CDM送受信部48とを具えている。【選択図】図１
2009194524.tif 000002
【特許請求の範囲】
【請求項１】
複数台の加入者側終端装置が、受動光ネットワーク（PON: Passive Optical Network）を介して1台の局側終端装置にアクセス可能である状態に構成された受動光ネットワーク通信システムであって、
前記局側終端装置は、
符号分割多重信号を生成して送信し、かつ前記加入者側終端装置から送信された符号分割多重信号を受信する機能を有する局側符号分割多重送受信部と、
時分割多重信号を生成して送信し、かつ前記加入者側終端装置から送信された時分割多重信号を受信する機能を有する局側時分割多重送受信部と、
前記局側符号分割多重送受信部に入出力される前記符号分割多重信号と、前記局側時分割多重送受信部に入出力される前記時分割多重信号とを分岐及び合波する局側終端装置用波長多重フィルタと
を具えており、
前記局側時分割多重送受信部は、該局側時分割多重送受信部に入力される前記時分割多重信号と、該局側時分割多重送受信部から出力される前記時分割多重信号とを分岐する時分割多重用波長多重フィルタを具え、
前記符号分割多重信号と前記時分割多重信号とに対して互いに異なる波長帯域が割り当てられている
ことを特徴とする受動光ネットワーク通信システム。
【請求項２】
複数台の前記加入者側終端装置の一部は、
前記符号分割多重信号を生成して送信し、かつ前記局側終端装置から送信された前記符号分割多重信号を受信する機能を有する加入者側符号分割多重送受信部を具えており、
前記加入者側符号分割多重送受信部は、前記符号分割多重信号に割り当てられている波長を分離して出力する波長分離フィルタを具えている
ことを特徴とする請求項1に記載の受動光ネットワーク通信システム。
【請求項３】
複数台の前記加入者側終端装置の一部は、
前記時分割多重信号を生成して送信し、かつ前記局側終端装置から送信された前記時分割多重信号を受信する機能を有する加入者側時分割多重送受信部を具えており、
前記加入者側時分割多重送受信部は、該加入者側時分割多重送受信部に入力される前記時分割多重信号と、該加入者側時分割多重送受信部から出力される前記時分割多重信号とを分岐する時分割多重用波長多重フィルタを具えている
ことを特徴とする請求項1に記載の受動光ネットワーク通信システム。
【請求項４】
複数台の前記加入者側終端装置の一部は、
前記符号分割多重信号を生成して送信し、かつ前記局側終端装置から送信された前記符号分割多重信号を受信する機能を有する加入者側符号分割多重送受信部と、
前記時分割多重信号を生成して送信し、かつ前記局側終端装置から送信された前記時分割多重信号を受信する機能を有する加入者側時分割多重送受信部と
を具えており、
前記加入者側符号分割多重送受信部は、前記符号分割多重信号に割り当てられている波長を分離して出力する波長分離フィルタを具え、
前記加入者側時分割多重送受信部は、該加入者側時分割多重送受信部に入力される前記時分割多重信号と、該加入者側時分割多重送受信部から出力される前記時分割多重信号とを分岐する時分割多重用波長多重フィルタを具えている
ていることを特徴とする請求項1に記載の受動光ネットワーク通信システム。
【請求項５】
前記符号分割多重信号に、1520 nmから1540 nmの波長帯域、あるいは1570 nmより長波長の波長帯域が割り当てられており、
前記時分割多重信号の、前記加入者側終端装置から前記局側終端装置に向けた上り信号には1250nmから1350 nmの波長帯域を割り当て、前記局側終端装置から前記加入者側終端装置に向けた下り信号には1480 nmから1500 nmの波長帯域が割り当てられていることを特徴とする請求項1から4のいずれか一項に記載の受動光ネットワーク通信システム。
【発明の詳細な説明】
【技術分野】
【０００１】
この発明は、局側終端装置と複数の加入者側終端装置との間で、符号分割多重（CDM: Code Division Multiplexing）方式及び時分割多重（TDM: Time Division Multiplexing）方式を併用して通信する、受動光ネットワーク通信システムに関する。
【背景技術】
【０００２】
光アクセスネットワーク通信システムの代表例として、局側終端装置と複数の加入者側終端装置とを受動光ネットワーク（PON: Passive Optical Network）を介して双方向通信するシステム（以後PONシステムと略称することもある。）が、盛んに研究されている。これは、PONシステムによれば、光伝送路を複数の加入者で共有することができ、設備コストを抑制することが可能であるという利点を有することが主たる理由である。
【０００３】
現在実用化されているPONシステムの代表例は、G-PON（Gigabit-PON）システムである。G-PONシステムによれば、1480 nmから1500 nmの範囲の波長帯域において、TDM方式による双方向通信が可能である。G-PONシステムでは、加入者側終端装置から局側終端装置に向けての通信（以後、上り通信ということもある。）と、局側終端装置から加入者側終端装置に向けての通信（以後、下り通信ということもある。）に互いに異なる波長が割り当てられている（例えば、非特許文献1参照）。
【０００４】
また、CDM方式による通信を行うCDM-PONシステムが注目されている（例えば、非特許文献2〜4及び特許文献1参照）。
【０００５】
CDM-PONシステムは、同一時刻に複数の信号を多重することが可能であり、周波数あるいは時間スロット等の通信資源を節約しつつ、大容量の通信を行うことができる装置であるという特長を有している。特に、チャンネルごとに同期を行う同期CDM方式が採用された送受信装置（例えば、特許文献2参照）は、CDM信号から任意のチャンネルの信号を安定して抽出することができるという特長を有している。
【０００６】
また、CDM-PONシステムによる光アクセス方法は、TDM方式による光アクセス方法に比べて、長距離伝送が可能であるという特長がある。CDM-PONシステムによる光アクセス方法は、同一波長を用いた双方向通信が行われる方法であるため、波長多重（WDM: Wavelength Division Multiplexing）方式による光アクセスシステムにも適用が容易であるという特長もある。
【０００７】
将来の光アクセスサービスにおいては、データ通信と映像通信との融合が求められている。現状のPONシステムでは、ケーブルテレビの送受信技術を使い、アナログ映像情報信号を光信号の形態として、WDM方式で送受信する形態がとられている。
光アクセスサービスの一形態であるPONシステムは、上述の要請に対応すべく、将来のデータ通信と映像通信との融合に備えた具体的な対応が求められている。
【０００８】
映像通信においては、送信される情報量がデータ通信と比較して非常に大きいので、大容量の情報を送受信するための帯域保証技術が必要とされる。すなわち、映像通信においては、リアルタイムで高ビットレートの伝送が可能である状態を保証することが求められる。
【特許文献１】特開2003-317026号公報
【特許文献２】特許第3913139号公報
【非特許文献１】Ian M. McGregor, et al. "Implementation of a TDM Passive Optical Network for Subscriber Loop Applications", J. Lightwave Technology, Vol. 7, No. 11、pp. 1752-1758 November 1989
【非特許文献２】玉井、他、「次世代光アクセスシステムCOF-PONの研究開発−長距離ハイブリッドWDM-CDM-PON−」沖電気研究開発  第210号、Vol.74、No.2、2007年4月
【非特許文献３】鹿嶋、他、「高QoSマルチメディア光配信システムの研究開発−COFトランシーバ−」沖電気研究開発  第200号、Vol.71、No.4、2004年10月
【非特許文献４】笹瀬、「光通信システムにおける光符号分割多元接続技術」技術情報誌  TELECOMFRONTIER、2004年11月号
【発明の開示】
【発明が解決しようとする課題】
【０００９】
映像通信に対しては、上述したようにアナログ映像情報信号を光信号の形態としてWDM方式で送受信する形態がとられている。アナログの光信号を長距離伝送するためには、通常受信側において光増幅器が必要とされる。光増幅器を設けるためのコストは高く、加入者側の受信装置にそれぞれ光増幅器を設けるためには、多数の光増幅器の設置が必要となり、PONシステム構築のためのコストが非常に高くなる。
【００１０】
G-PONシステムにおいて、TDM方式によるアクセス方式、あるいはアナログの光信号を送受信する形態を実施する場合、光信号を受光する受光素子の受光感度、及び受信する光信号のS/N値を一定値以上に確保することが必要となる。このため、受信側に設ける波長フィルタのアイソレーションの大きさをできる限り大きくする必要がある。アイソレーション値が大きな波長フィルタほど高価格であるので、加入者側の受信装置にそれぞれに設ける必要のある波長フィルタの単価が高くなり、上述の光増幅器の場合と同様に、PONシステム構築のためのコストが非常に高くなる。
【００１１】
また、G-PONシステムで映像情報信号をデジタル伝送するには、現状のシステムでは伝送容量が不足しており、新たに割り当てる波長を異にするG-PONシステムを併設する等、システムの拡張が必要となる。しかしながら、G-PONシステムは、単一波長による双方向通信システムではなく、上り通信と下り通信とでは異なる波長を割り当てる必要があるシステムである。従って、新たなG-PONシステムを併設するには、多くの波長資源が必要となる。また、受信側に具えるべき波長フィルタの構成も、非常に多くの波長の信号光に対応可能とするため、その構造は複雑となり、高コストとなる。
【００１２】
そこで、この発明は、既存のG-PONによる光アクセスネットワーク通信システムを大幅に変更することなく、しかも低コストでデジタルデータ信号とデジタル映像信号とを並列して通信することが可能であって、波長資源も大幅に節約することが可能な、大容量のデジタル伝送を実現するPON通信システムを提供することを目的とする。
【課題を解決するための手段】
【００１３】
この発明の発明者は、検討を重ねた結果、従来のG-PON通信システムに、CDM-PON通信システムを付加したPON通信システムを構成すれば、従来のG-PON通信システムの構成を大幅に変更せず、しかも波長資源を新たに大量に導入しないで、デジタル映像信号等の大容量のデジタル伝送が可能であるシステムが実現されるとの認識に至った。
【００１４】
従来のG-PON通信システムにCDM-PON通信システムを付加するというこの発明の要旨によれば、以下の構成のPON通信システムが提供される。
【００１５】
この発明のPON通信システムは、複数台の加入者側終端装置が、PONを介して1台の局側終端装置にアクセス可能である状態に構成されたPON通信システムである。
【００１６】
アクセスネットワークシステム（Access Network Communication Systems）において、局側終端装置（Optical Line Terminal）は、一般に事業者側に設置される設備であり、センターノード（Center Node）あるいはサービスノード（Service Node）等と呼称されることもあるが、以下の説明において、略記する場合は、OLTと記載する。また加入者側終端装置（Optical Network Unit）はエッジノード（Edge Node）等と呼称されることもあるが、以下の説明において、略記する場合はONUと記載する。複数の加入者側終端装置を識別するためには、「ONU 40」等の形式で番号を付して識別する他、必要に応じて「第1」、「第2」等あるいは「ONU-1」、「ONU-2」等の形式で番号を付して識別することもある。
【００１７】
また、符号分割多重信号をCDM信号と略記し、時分割多重信号をTDM信号と略記することもある。
【００１８】
OLTは、局側CDM送受信部と、局側TDM送受信部と、OLT用波長多重フィルタ（以後、OLT用WDMフィルタと略記する。）を具えている。局側CDM送受信部は、CDM信号を生成して送信し、かつONUから送信されたCDM信号を受信する機能を有する。局側TDM送受信部は、TDM信号を生成して送信し、かつONUから送信されたTDM信号を受信する機能を有している。また、局側TDM送受信部に入力されるTDM信号と、局側TDM送受信部から出力されるTDM信号とを分岐するTDM用波長多重フィルタ（以後、TDM用WDMフィルタと略記する。）を具えている。OLT用WDMフィルタは、局側CDM送受信部に入出力されるCDM信号と、局側TDM送受信部に入出力されるTDM信号とを分岐及び合波する機能を有する。そして、CDM信号とTDM信号とに対して互いに異なる波長帯域が割り当てられている。
【００１９】
この発明のPON通信システムにおいては、複数台のONUが設置されるが、これらONUの構成としては、以下に記載する複数とおりの構成方法がある。すなわち、既存のG-PONシステムのONUとしての機能を有するように構成されたONU、CDM-PONシステムのONUとしての機能を有するように構成されたONU、及び既存のG-PONシステムの機能とCDM-PONシステムの機能とを併せ持つように構成されたONUの、何れをONUとして設置してもよい。
【００２０】
そこで、この発明のPON通信システムに設置される複数台のONUの一部を次のとおり構成する。CDM信号を生成して送信し、かつOLTから送信されたCDM信号を受信する機能を有する加入者側CDM送受信部を具え、この加入者側CDM送受信部には、CDM信号に割り当てられている波長を分離して出力する波長分離フィルタを具えて構成する。このように構成することで、CDM-PONシステムのONUとしての機能を有するONUとなる。
【００２１】
また、この発明のPON通信システムに設置される複数台のONUの一部を次のとおり構成する。TDM信号を生成して送信し、かつOLTから送信されたTDM信号を受信する機能を有する加入者側TDM送受信部を具え、この加入者側TDM送受信部は、この加入者側TDM送受信部に入力されるTDM信号と、この加入者側TDM送受信部から出力されるTDM信号とを分岐するTDM用波長多重フィルタ（TDM用WDMフィルタ）を具えて構成する。このように構成することで、G-PONシステムのONUとしての機能を有するONUとなる。
【００２２】
また、この発明のPON通信システムに設置される複数台のONUの一部を加入者側CDM送受信部と加入者側TDM送受信部とを具えて構成する。加入者側CDM送受信部は、CDM信号を生成して送信し、かつOLTから送信されたCDM信号を受信する機能を有する。加入者側TDM送受信部は、TDM信号を生成して送信し、かつOLTから送信されたTDM信号を受信する機能を有する。そして、加入者側CDM送受信部には、CDM信号に割り当てられている波長を分離して出力する波長分離フィルタを具え、加入者側TDM送受信部は、この加入者側TDM送受信部に入力されるTDM信号と、この加入者側TDM送受信部から出力されるTDM信号とを分岐するTDM用WDMフィルタを具えて構成する。このように構成することで、既存のG-PONシステムの機能とCDM-PONシステムの機能とを併せ持つように構成されたONUとしての機能を有するONUとなる。
【００２３】
この発明のPON通信システムにおいて、CDM信号に1520 nmから1540 nmの波長帯域、あるいは1570 nmより長波長の波長帯域を割り当て、上りのTDM信号には1250nmから1350 nmの波長帯域を割り当て、下りのTDM信号には1480 nmから1500 nmの波長帯域を割り当てるのが好適である。
【発明の効果】
【００２４】
この発明のPON通信システムは、既存のG-PONシステムに、CDM-PONシステムを並列させて設けることによって構成されるシステムであって、既存のG-PONシステムに、CDMによる通信機能が付加されたPON通信システムである。既存のG-PONシステムに対して、CDM-PONシステムを並列させて設けるためには、既存のG-PONのOLTにおいて、OLT用WDMフィルタを増設するだけで、CDM-PONシステムを構築するためのCDM送受信部を併設することが可能である。
【００２５】
これは、CDM信号とTDM信号とに対して互いに異なる波長帯域が割り当てられていることにより、OLT用WDMフィルタを利用することによって、CDM送受信部に入出力されるCDM信号とTDM送受信部に入出力されるTDM信号とが分岐及び合波され、既存のG-PONのOLTが具えているTDM送受信部には、CDM信号が遮断されて入力されないからである。すなわち、この発明のPON通信システムによれば、既存のG-PONのOLTにCDM送受信部を増設することによっては、既存のTDM送受信部は何ら影響を受けることはない。
【００２６】
この発明のPON通信システムは、上述したように、G-PONシステムとCDM-PONシステムとが併設された通信システムであるから、G-PONシステムに対してはデジタルデータ信号を送受信するよう設定し、CDM-PONシステムに対してはデジタル映像信号を送信するように設定することが可能である。また、デジタルデータ信号の一部とデジタル映像信号とをCDM-PONシステムによって送受信するよう設定することも可能である。
【００２７】
いずれにしても、この発明のPON通信システムによれば、OLT用WDMフィルタを増設するだけで、既存のG-PONのOLTにCDM送受信部を設置することが可能であるので、既存のG-PONによる光アクセスネットワーク通信システムを大幅に変更することなく、しかも低コストでシステムを増設することが可能である。その上、上述したように、この発明のPON通信システムによれば、デジタルデータ信号とデジタル映像信号とを並列して通信することが可能となる。CDM-PONシステムは、上り通信と下り通信とで波長を共通に設定することが可能であるので、この発明のPON通信システムによれば、波長資源を有効活用することが可能である。
【００２８】
ちなみに、既存のG-PONシステムでは、上り通信と下り通信とで波長を互いに異なるように設定する必要がある。そのため、既存のG-PONシステムに対して新たなG-PONシステムを増設することによって通信容量を増大させ、デジタルデータ信号とデジタル映像信号とを並列して通信するシステムを構築することは可能であるが、このように構成したPONシステムは、CDM-PONシステムを採用したこの発明のPON通信システムに比べて波長の種類が2倍必要となるという欠点がある。
【００２９】
この発明のPON通信システムにおいて、CDM-PONシステムを利用することによって、デジタルデータ信号とデジタル映像信号とを符号によって分離することが可能となる。また、複数種類のデジタル映像信号を符号によって識別可能な状態で複数のONUに送信することが可能となるので、それぞれのONUによって所望の種類のデジタル映像信号を、符号を選択することによって分離して受信することが可能となる。
【００３０】
この発明のPON通信システムのONUにおいて、既存のG-PONシステムとして設置されているTDM送受信部には、このTDM送受信部に入力されるTDM信号と、このTDM送受信部から出力されるTDM信号とを分岐するTDM用WDMフィルタが設けられている。このTDM用WDMフィルタは、CDM信号に割り当てられている波長帯域の光は遮断する波長フィルタとしての機能を兼ね備えている。従って、既存のG-PONシステムとして設置されているONUに対して、CDM送受信部を増設するに当たっては、既存のTDM送受信部には何ら新たな波長フィルタを設ける必要がない。
【００３１】
また、既存のG-PONシステムとして設置されているONUに対して、CDM送受信部を増設するに当たっては、CDM送受信部にCDM信号に割り当てられている波長を分離して出力する波長分離フィルタを増設する必要がある。しかしながら、この波長分離フィルタのアイソレーションは、TDM用WDMフィルタの波長分離フィルタとしての波長分離アイソレーションに比べて格段に小さくてよい。そのため、このCDM送受信部に設けられる波長分離フィルタは、低コストで調達することが可能である。波長分離フィルタの調達コストが低いことは、この波長分離フィルタがONU側に設けられる部品であり、CDM送受信部を増設するONUの数に等しい数だけ必要とされることを勘案すると、システムを低コストで構築する観点からは重要な要素となる。
【００３２】
上述の波長分離フィルタのアイソレーションが、TDM用WDMフィルタの波長分離フィルタとしての波長分離アイソレーションに比べて格段に小さくてよい理由は次のとおりである。
【００３３】
CDM信号は、符号化される前のデジタルデータ信号を構成するパルスの一つが、符号長がNである符号によって符号化されることによって、N個のチップに分割されて時間軸上にチップ列として配列される。すなわち、データ信号を構成するパルスの一つは、符号長がNである符号によって符号化されることによって、そのエネルギーが1/Nのチップパルスから成る符号化信号に時間軸上に平均化されて配列される。これによって、符号化信号のチップレートは、データ信号のビットレートのN倍となる。
【００３４】
PONを伝播する上述の符号化信号は、時間軸上で光パルスが不等間隔で並ぶ光パルス信号である。PONに対して、ONUあるいはOLTが、送信すべき信号を光パルスの形態で送り込んだ段階で、全ての光パルスは、情報の1ビット分の情報である「0」あるいは「1」を示す均等な意義を有する。すなわち、TDM信号を構成する光パルスと、CDM信号を構成する光パルスとでは区別がなされない。すなわち、PON上では、TDM信号を構成する1ビット分の情報を担う光パルスと、CDM信号を構成する光チップパルスとは、互いにその強度は等しい大きさにされる。
【００３５】
データ信号の1ビット分を構成するパルス一つが符号化されることなく送信された場合、単に1パルスが送信されるに過ぎないが、符号長Nの符号で符号化されて送信される場合には、この1ビット分がN個のパルスとして送信されることとなる。
【００３６】
このことは、符号化することなく送受信されるTDM信号の1ビットに相当する情報を一つの光パルスが担っているのに対して、符号長Nの符号で符号化されて送信される場合には、送受信される信号の1ビットに相当する情報をN個の光パルスが担うこととなる。そのため、送信に必要とされるエネルギーの観点から見ると、同じ1ビットに相当する情報を送信するためには、符号化することなく送信するTDM信号の場合と比較して、符号化して送信する場合は、N倍のエネルギーが使われることを意味する。ただし、このN倍のエネルギーは、時間軸上にN個分のパルスとして分散されている。
【００３７】
CDM信号は、復号化されて送信されたデータ信号を構成する1つ分のパルスとして再生される。この再生されたパルスは、N個分のチップパルスの総和であるから、チップパルス1つ分の強度のN倍の強度となる。すなわち、時間軸上にN個に分散されていたチップパルスが、1個のパルスとして時間軸上に集積されることによって再生されるため、この集積によって、再生されたパルスは、チップパルス1つ分の強度のN倍となる。
【００３８】
このように、送信時点における送信データ信号を構成するパルスの強度が、受信側において復号化されることによって受信データ信号を構成するパルス強度のN倍となり、実質的増幅効果が得られることになる。すなわち、送信時点における送信データ信号を構成するパルスの強度が、受信側において復号化されることによって、N倍の大きさとして受信されるので、この実質的な増幅を符号利得と呼ぶ。
【００３９】
すなわち、CDM信号による伝送においては、そのS/N比がTDM信号による伝送におけるS/N比よりも符号利得分だけ大きく作用するので、CDM信号を処理するCDM送受信部に設置する波長分離フィルタのアイソレーションは、それだけ小さくとも必要とされるS/N比は十分に確保されることとなる。すなわち、CDM信号による伝送における必要とされるS/Nに、符号利得分だけの余裕があるので、雑音成分であるCDM信号に割り当てられた波長成分の光を多少多く含んでいても、必要とされるS/N比は十分に確保できる。従って、上述の波長分離フィルタのアイソレーションは、TDM用WDMフィルタの波長分離フィルタとしての波長分離アイソレーションに比べて1/N程度と格段に小さくてよい。
【００４０】
符号利得は、符号長Nに比例するので、符号長の長い符号で符号化をすることで大きくすることが可能である。しかしながら、符号長Nを大きくすることは、それだけCDM信号の伝送ビットレートを高くしなければならない。従って、符号利得を大きくして波長分離フィルタのアイソレーションに対する要求を下げて低コスト化を図るか、符号利得を低く設定して伝送ビットレートを低く抑えることで低コスト化を図るかは、相互にトレードオフの関係にあり、何れを選択するかは設計的事項に属する。
【００４１】
この発明のPON通信システムにおいて、CDM信号に1520 nm〜1540 nmの波長帯域、あるいは1570 nmより長波長の波長帯域を割り当て、TDM信号に1480 nmから1500 nmあるいは1250 nm〜1350 nmの波長帯域を割り当てることによって次の効果が得られる。
【００４２】
既存のG-PONにおいては、上りの通信に割り当てられている波長帯域は1250 nm〜1350 nmの範囲の波長帯域であり、下りの通信に割り当てられている波長帯域は1480 nm〜1500 nmの範囲の波長帯域である。すなわち、既存のG-PONにおいては、1250 nm〜1350 nmの範囲及び1480 nm〜1500 nmの範囲の波長帯域において、TDM方式による双方向通信が可能である。従って、既存のG-PONを基礎にして、この発明のPON通信システムを構築するに当たっては、既存のG-PONシステムに割り当てられている波長帯域を何ら変更せずに、TDM信号に1250 nm〜1350 nmの範囲の波長帯域、あるいは1480 nmから1500 nmの波長帯域を割り当てることによって、既存のG-PONシステムをそのまま利用できるという利点が生じる。
【００４３】
また、1520 nm〜1540 nmの波長帯域あるいは1570 nmより長波長の波長帯域は、現状の光アクセスシステムにおける拡張用の波長帯域として利用することが、当業界の約束事項として規格化されている。従って、この発明のPON通信システムにおいて、CDM信号に1520 nm〜1540 nmの波長帯域あるいは1570 nmより長波長の波長帯域を割り当てることによって、この拡張用の波長帯域を有効利用することが可能となる。
【発明を実施するための最良の形態】
【００４４】
以下、この発明の実施の形態につき図1を参照して説明する。図1はこの発明の実施の形態のPON通信システムの概略的ブロック構成図である。なお、図1は、この発明の実施の形態が理解できる程度に各構成要素の配置関係等を概略的に示しているに過ぎず、この発明の実施の形態を図示例に限定するものではない。
【００４５】
この発明のPON通信システムは、複数台のONUが、PON 30を介して、1台のOLT 10にアクセス可能である状態に構成されたPON通信システムである。PON 30は、一端にOLT 10を設置し、他端に光合分岐器32を設置することによって、OLT 10と光合分岐器32との間をつなぐ単一の光ファイバ伝送路34と、光合分岐器32につながれた複数のサブ光ファイバ伝送路によって構成される光ファイバネットワークである。図1では、複数のサブ光ファイバ伝送路を、ONU-40をつなぐサブ光ファイバ伝送路36-1、ONU-42をつなぐサブ光ファイバ伝送路36-2、ONU-44をつなぐサブ光ファイバ伝送路36-3の3本が示してあるが、サブ光ファイバ伝送路は、ONUの数だけ必要である。複数のサブ光ファイバ伝送路のそれぞれには、ONUが一台ずつつながれている。
【００４６】
図1においては、一台の光合分岐器32を含むPONを示してあるが、一台の光合分岐器32の代わりに、光合分岐器を複数台用いて構成することも可能であり、現実のPONシステムにおいては、複数台用いて構成されることが一般的である。光合分岐器を複数台用いて構成するとは、具体的には、一端にOLT 10がつながれた単一の光ファイバ伝送路の他端に第1の光合分岐器を配置し、この第1の光合分岐器とONUとの間に更に、例えば、第2の光合分岐器、第3の光合分岐器、...第Nの光合分岐器（Nは2以上の整数）、と複数の光合分岐器を複数段カスケード接続することによって、一台の光合分岐器32に代えて、複数段にカスケード接続されて構成される光合分岐システムを構成して利用することを意味する。
【００４７】
すなわち、一端にOLT 10がつながれた光ファイバ伝送路を、複数の光ファイバ伝送路に分岐合波可能な形態に構成できれば、このために利用する光合分岐器の台数は、何台であってもかまわない。以後の説明においては、上述のように複数台の光合分岐器を複数段にカスケード接続されて構成される光合分岐システムを含めて、単に一台の光合分岐器32を代表させて示すものとする。すなわち、図1に示す光合分岐器32とは、複数台の光合分岐器を複数段にカスケード接続されて構成される光合分岐システムをも含むものとする。
【００４８】
この発明のPON通信システムにおいては、CDM方式の通信を行うためのCDM信号と、TDM方式の通信を行うためのTDM信号とに対して互いに異なる波長帯域を割り当てる。すなわち、CDM信号には1520 nmから1540 nmの波長帯域、あるいは1570 nmより長波長の波長帯域に属するの波長を割り当て、上りのTDM信号には1250nmから1350 nmの波長帯域に属する波長が割り当て、下りのTDM信号には1480 nmから1500 nmの波長帯域に属する波長を割り当てる。
【００４９】
このように、この発明のPON通信システムは、CDM信号とTDM信号とに、数十ナノメートル程度の幅を持った波長帯域に属する任意の波長が割り当てられるが、以下においては、説明の便宜上、CDM信号に1530 nmの波長を割り当て、TDM方式の通信における上りのTDM信号に1300 nmの波長を割り当て、下りのTDM信号に1490 nmの波長を割り当てたものとして説明する。もちろん、上述の範囲内の波長であれば、これ以外の波長を、CDM信号及びTDM信号に割り当てることも可能であって、いかなる波長を割り当てるかは、設計的事項に属する。
【００５０】
図1では、複数台のONUとしてONU 44、ONU 42及びONU 40を例示してある。ONU 44は、CDM-PONシステムのONUとしての機能を有するように構成されたONUであり、以後、第1のタイプのONUということもある。ONU 42は、既存のG-PONシステムのONUとしての機能を有するように構成されたONUであり、以後、第2のタイプのONUということもある。ONU 40は、既存のG-PONシステムの機能とCDM-PONシステムの機能とを併せ持つように構成されたONUであり、以後、第3のタイプのONUということもある。
【００５１】
この発明のPON通信システムが具える複数台のONUとしては、図1の例示に限定されず、第1〜第3のタイプのONUのそれぞれの個数、及びこれら第1〜第3のタイプのONUの組み合わせの態様は、任意に設定することが可能である。すなわち、複数台のONUの設定態様については、その個数及び組み合わせ方法の如何に関らず、この発明のPON通信システムを構成する。
【００５２】
OLT 10は、局側CDM送受信部14と、局側TDM送受信部12と、OLT用WDMフィルタ28とを具えている。
【００５３】
局側CDM送受信部14は、CDM送信部22とCDM受信部24と光合分岐器26とを具えている。CDM送信部22はCDM信号21を生成して送信する機能を有し、このCDM信号21は、光合分岐器26を介してOLT用WDMフィルタ28に入力されてONU群に向けて送信される。ONU群とは、この発明のPON通信システムを構成する複数のONUの集合を意味する。以後の説明において、この発明のPON通信システムを構成する複数のONUをまとめて表現する場合、これらのONUをひとまとめにしてONU群と表現する場合もある。
【００５４】
CDM受信部24は、OLT用WDMフィルタ28によって波長分離されて局側CDM送受信部14に入力され光合分岐器26によって分岐された、ONUから送信されたCDM信号23を受信する。従って、局側CDM送受信部14は、CDM信号21を生成して送信し、かつONUから送信されたCDM信号23を受信する機能を有する。
【００５５】
局側TDM送受信部12は、TDM送信部16とTDM受信部18とTDM用WDMフィルタ20とを具えている。TDM送信部16は、TDM信号15を生成して送信する機能を有し、このTDM信号15は、TDM用WDMフィルタ20を介してOLT用WDMフィルタ28に入力されてONU群に向けて送信される。TDM受信部18は、ONUから送信されたTDM信号17を受信する。TDM信号17は、OLT用WDMフィルタ28によって波長分離されて、TDM用WDMフィルタ20を介して局側TDM送受信部12のTDM受信部18に入力される。従って、局側TDM送受信部12は、TDM信号15を生成して送信し、かつONUから送信されたTDM信号17を受信する機能を有する。
【００５６】
以上説明したことから明らかな様に、OLT用WDMフィルタ28は、以下の機能を有している。OLT用WDMフィルタ28は、波長が1530 nmであるCDM信号21及びCDM信号23と、波長が1490 nmであるTDM信号15及び波長が1300 nm であるTDM信号17とを、両者の波長の相違をもとにして分離する機能を有している。すなわち、OLT用WDMフィルタ28は、ONUから送信されるTDM信号とCDM信号とが多重された上り信号31が入力されて、局側TDM送受信部12に入力するTDM信号31-1と、局側CDM受信部14に入力するCDM信号31-2とを分離している。
【００５７】
従って、CDM信号31-2は、OLT用WDMフィルタ28によって、波長が1490 nmであるTDM信号15及び波長が1300 nm であるTDM信号17がフィルタリングされて遮断された上で、波長が1530 nmであるCDM信号23が取り出されて局側CDM送受信部14に入力されたものであるといえる。すなわち、OLT用WDMフィルタ28は、TDM信号成分を遮断し、CDM信号成分を透過させる波長フィルタとしての機能を有している。従って、OLT 10が具える局側CDM送受信部14には、TDM信号成分を遮断するための波長フィルタを新たに設置する必要がない。
【００５８】
次に、この発明のPON通信システムに設置されるONUの構成及びその動作について説明する。上述したように、この発明のPON通信システムに設置されるONUの種類には、第1から第3の三種類のタイプがある。
【００５９】
まず、CDM-PONシステムのONUとしての機能を有するように構成された第1のタイプのONUについて説明する。図1には、第1のタイプのONUとしてONU 44が示されているので、この図に従って、ONU 44を例にとって第1のタイプのONUの構成及びその機能について説明する。
【００６０】
第1のタイプのONU 44は、CDM送信部74と、CDM受信部76と、光合分岐器72と、波長分離フィルタ70とを具えている。CDM送信部74はCDM信号73を生成して送信する機能を有し、このCDM信号73は、光合分岐器72を介して波長分離フィルタ70に入力されてOLT 10に向けて送信される。CDM受信部76は、波長分離フィルタ70によって波長分離されて、光合分岐器72を介してCDM受信部76に入力された、OLT 10から送信されたCDM信号75を受信する。すなわち、第1のタイプのONU 44は、CDM送信部74とCDM受信部76とから構成されるCDM送受信部から構成されていると見なすことができる。すなわち、第1のタイプのONU 44は加入者側CDM送受信部を具えていると言い換えることができる。
【００６１】
従って、第1のタイプのONU 44は、CDM信号73を生成して送信し、かつOLT 10から送信されたCDM信号75を受信する機能を有する加入者側CDM送受信部を具えており、この加入者側CDM送受信部には、CDM信号に割り当てられている波長を分離して出力する波長分離フィルタ70を具えている。このように構成することで、CDM-PONシステムのONUとしての機能を有するように構成されたONUとなる。
【００６２】
以上説明したことから明らかな様に、波長分離フィルタ70は、波長が1530 nm nmであってCDM通信の下り信号であるCDM信号75と、波長が1490 nm nmであってTDM通信の下り信号であるTDM信号15とを、両者の波長の相違をもとにして分離する機能を有している。すなわち、波長分離フィルタ70は、OLT 10から送信されるTDM信号とCDM信号とが多重された下り信号29が入力されて、この下り信号29から、TDM信号成分を除去し、CDM送受信部76に入力するCDM信号75の成分のみを分離している。
【００６３】
ここで、下り信号29とはOLT 10からONU群に向けて送信される信号であり、実際には、ONU群に向けて送信されたCDM方式で多重された信号及びTDM方式で多重された信号が多重された信号である。下り信号29は、光合分岐器32によって、その強度が設置されているONUの個数分の1にされて、各ONUにそれぞれ供給される。
【００６４】
OLT 10から出力される下り信号29と、各ONUにそれぞれ供給される下り信号とはその強度が異なるだけであるので、説明を簡潔にするために、各ONUにそれぞれ供給される下り信号に対しても、単に下り信号29ということもある。
【００６５】
一方、上り信号31とは、複数台のONUのそれぞれからOLT 10に向けて送信される信号であり、実際には、複数台のONUから送信された上り信号の総体である。すなわち、複数台のONUから送信されたそれぞれの上り信号は、全てPONを構成している光合分岐器32を介してOLT 10に送信される。そこで、説明を簡潔にするために、各ONUのそれぞれから出力される上り信号の何れに対しても、それらを互いに区別して説明する必要がない場合は、全て上り信号31ということもある。
【００６６】
既に説明したように、CDM信号による伝送においてはそのS/N比が、TDM信号による伝送におけるS/N比よりも符号利得分だけ大きく作用するので、CDM信号を処理するCDM送受信部に設置する波長分離フィルタのアイソレーションは、それだけ小さくとも、必要とされるS/N比は十分に確保される。従って、上述の波長分離フィルタ70のアイソレーションは、小さくてよい。
【００６７】
次に、既存のTDM-PONシステムのONUとしての機能を有するように構成された第2のタイプのONUについて説明する。図1には、第2のタイプのONUとしてONU 42が示されているので、この図に従って、ONU 42を例にとって第2のタイプのONUの構成及びその機能について説明する。
【００６８】
第2のタイプのONU 42は、TDM送信部66と、TDM受信部68と、TDM用WDMフィルタ64とを具えている。TDM送信部66はTDM信号65を生成して送信する機能を有し、このTDM信号65は、TDM用WDMフィルタ64介してOLT 10に向けて送信される。一方、TDM受信部68は、TDM用WDMフィルタ64介してOLT 10から送信されたTDM信号67を受信する。すなわち、第2のタイプのONU 42は、TDM送信部66とTDM受信部68とから構成されるTDM送受信部から構成されていると見なすことができる。すなわち、第2のタイプのONU 42は加入者側TDM送受信部を具えていると言い換えることができる。
【００６９】
従って、第2のタイプのONU 42は、TDM信号65を生成して送信し、かつOLT 10から送信されたTDM信号67を受信する機能を有する加入者側TDM送受信部を具えており、この加入者側TDM送受信部には、上り通信のTDM信号と、下り通信のTDM信号とを分岐するTDM用WDMフィルタ64具えている。このように構成することで、TDM-PONシステムのONUとしての機能を有するように構成されたONUとなる。
【００７０】
以上説明した様に、TDM用WDMフィルタ64は、波長が1490 nm nm nmであってTDM通信の下り信号であるTDM信号67と、波長が1300 nm nmであってTDM通信の上り信号であるTDM信号65とを、両者の波長の相違に基づいて分離する機能を有している。また、TDM用WDMフィルタ64は、OLT 10から送信されるTDM信号とCDM信号とが多重された下り信号29が入力されて、この下り信号29から、CDM信号成分を除去し、ONU 42の加入者側TDM送受信部に入力するTDM信号の成分のみを分離している。このように、TDM用WDMフィルタ64には、CDM信号成分を除去する波長フィルタの機能が備わっているので、TDM-PONシステムのONUとしての機能を有する既存のONUである第2のタイプのONUに対しては、既存の構成のままでよく、新たにCDM信号成分を除去する波長フィルタ等の新規の構成部品を設置する必要がない。
【００７１】
次に、既存のG-PONシステムの機能とCDM-PONシステムの機能とを併せ持つように構成された第3のタイプのONUについて説明する。図1には、第3のタイプのONUとしてONU 40が示されているので、この図に従って、ONU 40を例にとって第3のタイプのONUの構成及びその機能について説明する。
【００７２】
第3のタイプのONU 40は、加入者側TDM送受信部46と加入者側CDM送受信部48とを具えている。
【００７３】
加入者側TDM送受信部46は、TDM送信部52と、TDM受信部54と、TDM用WDMフィルタ50とを具えている。TDM送信部52はTDM信号51を生成して送信する機能を有し、このTDM信号51は、TDM用WDMフィルタ50介してOLT 10に向けて送信される。一方、TDM受信部54は、TDM用WDMフィルタ50介してOLT 10から送信されたTDM信号53を受信する。
【００７４】
従って、加入者側TDM送受信部46は、TDM信号51を生成して送信し、かつONT 10から送信されたTDM信号53を受信する機能を有しており、この加入者側TDM送受信部46には、上り通信のTDM信号と、下り通信のTDM信号とを分岐するTDM用WDMフィルタ50が具えられている。
【００７５】
TDM用WDMフィルタ50は、波長が1490 nm nm nmであってTDM通信の下り信号であるTDM信号53と、波長が1300 nm nmであってTDM通信の上り信号であるTDM信号51とを、両者の波長の相違に基づいて分離する機能を有している。また、TDM用WDMフィルタ50は、OLT 10から送信されるTDM信号とCDM信号とが多重された下り信号29が入力されて、この下り信号29から、CDM信号成分を除去し、加入者側TDM送受信部46に入力するTDM信号の成分のみを分離している。このように、TDM用WDMフィルタ50には、CDM信号成分を除去する波長フィルタの機能が備わっているので、新たにCDM信号成分を除去する波長フィルタ等の新規の構成部品を設置する必要がない。
【００７６】
加入者側CDM送受信部48は、CDM送信部60と、CDM受信部62と、光合分岐器58と、波長分離フィルタ56とを具えている。CDM送信部60はCDM信号59を生成して送信する機能を有し、このCDM信号59は、光合分岐器58を介して波長分離フィルタ56に入力されてOLT 10に向けて送信される。CDM受信部62は、波長分離フィルタ56によって波長分離されて、光合分岐器58を介してCDM受信部62に入力された、OLT 10から送信されたCDM信号61を受信する。従って加入者側CDM送受信部48は、CDM信号59を生成して送信し、かつOLT 10から送信されたCDM信号61を受信する機能を有する。
【００７７】
以上説明したことから明らかな様に、波長分離フィルタ56は、波長が1530 nmであってCDM通信の下り信号であるCDM信号61と、波長が1490 nm であってTDM通信の下り信号であるTDM信号53とを、両者の波長の相違をもとにして分離する機能を有している。すなわち、波長分離フィルタ56は、OLT 10から送信されるTDM信号とCDM信号とが多重された下り信号29が入力されて、この下り信号29から、TDM信号成分を除去し、CDM受信部62に入力するCDM信号61の成分のみを分離している。
【００７８】
既に説明したように、CDM信号を処理するCDM送受信部に設置する波長分離フィルタ56のアイソレーションは小さくてよい。
【００７９】
以下、この発明のPON通信システムの実施例を提示することにより、この発明のPON通信システムの実施の形態が有する産業上の利用価値を明確にする。なお、実施例の説明に当たっては、この発明のPON通信システムの各部分の概略的構成を示す
図2、図3、図4、図5、図7及び図8を参照するが、各図はこの発明の実施例が理解できる程度に各構成要素の配置関係等を概略的に示しているに過ぎず、この発明の実施例を図示例に限定するものではない。
【００８０】
また、この発明のPON通信システムは、既存のG-PONシステムに対して、CDM-PONシステムを追加して構成することによって実現されるシステムであることを前提に、OLT 10は、局側CDM送受信部14と、局側TDM送受信部12とを必ず具えている。これに対して、この発明のPON通信システムが具える複数のONUの中には、CDM方式による通信手段である加入者側CDM送受信部を具えていない第2のタイプのONUを含んで構成される場合もある。
【００８１】
第2のタイプのONUは、既存のG-PONシステムのONUであるので、以下に説明する第1から第3実施例においては、第2のタイプのONUについては、特に必要となる場合を除き、その構成及び動作についての説明は省略する。すなわち、第1実施例においては第3のタイプのONUを取り上げ、第2実施例及び第3実施例において第1のタイプのONUを取り上げる。
【００８２】
[第１実施例]
図2及び図3を参照して、この発明に係る第1実施例のPON通信システムの構成及びその動作について説明する。図2は第1実施例のPON通信システムが具えるOLT 10の概略的ブロック構成図であり、図3は第1実施例のPON通信システムが具える第3のタイプのONUであるONU 40の概略的ブロック構成図である。
【００８３】
図2を参照して第1実施例のPON通信システムが具えるOLT 10の構成及びその動作について説明する。
【００８４】
OLT 10は、局側CDM送受信部14と、局側TDM送受信部12と、OLT用WDMフィルタ28とを具えており、第1のタイプのONU 44に対応するための局側CDM送受信部14の構成に特徴がある。局側CDM送受信部14は、CDM送信部22とCDM受信部24と光合分岐器26とを具えている。局側TDM送受信部12は、既存のG-PON通信システムとしての機能を果す部分であるので、以下に説明する第2及び第3実施例において参照する図4及び図7を通して、G-PONシステム部12と表してある。
【００８５】
CDM送信部22は、CDM送信器22-1、CDM送信器22-2、...、CDM送信器22-iで示したi台（iは2以上の整数である。）のCDM送信器が並列に配置され、それぞれのCDM送信器からの出力されるCDM信号は、光合波器78で合波されてCDM信号79-1として生成されて出力される。CDM信号79-1は、光合分岐器26を介してOLT用WDMフィルタ28に入力される。OLT用WDMフィルタ28に入力されたCDM信号79-1はPON 30を伝播してONU群に向けて送信される。
【００８６】
上述のようにCDM送受信部22を構成すれば、CDM送信器22-1、CDM送信器22-2、...、CDM送信器22-iに対して、それぞれ第1から第iチャンネルを割り当て、iチャンネル分のデジタル映像信号をOLT 10からONU群に向けて送信することが可能となる。iチャンネル分のデジタル映像信号は、例えば、メトロポリタンネットワーク158から、エッジルータ156を介して供給される構成とすることが可能である。エッジルータ156を介して供給されたiチャンネル分のデジタル映像信号は、第2層スイッチ152に供給されて、第2層スイッチ152によって、CDM送信器22-1、CDM送信器22-2、...、CDM送信器22-iに分配される。
【００８７】
ここで、第1から第iチャンネルに対しては、互いに相異なる符号を付与する。すなわち、CDM送信器22-1、CDM送信器22-2、...、CDM送信器22-iにおいて互いに相異なる符号による符号化を実行する符号化器を設置する。第2層スイッチ152からCDM送信器22-1、CDM送信器22-2、...、CDM送信器22-iにそれぞれ供給されるデジタル映像信号は、それぞれ相異なる符号で符号化されて符号化デジタル映像信号として出力される。
【００８８】
それぞれのCDM送信器から出力されるCDM信号である符号化デジタル映像信号は、光合波器78で合波されてCDM信号79-1として生成されて出力される。
【００８９】
このように、図2に示す第1実施例のPON通信システムによれば、メトロポリタンネットワーク158から供給される複数チャンネル分のデジタル映像信号を、ONU群に向けてマルチキャスト送信あるいはブロードキャスト送信することが可能となる。
【００９０】
以上説明した様に、第1実施例のPON通信システムの特徴は、OLT 10において、既存のG-PONシステム部12に対して、OLT用WDMフィルタ28を設置して波長分離する構成とすることで、CDM送信部22を増設することが可能である点にある。
【００９１】
第1実施例のPON通信システムとしては、CDM送信部22を増設するだけでなく、CDM受信部24を同時に増設することも可能である。上り通信のCDM信号は、OLT用WDMフィルタ28を介して光合分岐器26で波長分岐されて、CDM受信部24に入力される。この場合は、光合分岐器26で分岐されて入力されたCDM信号23-1は、CDM受信部24に入力されて復号化されて受信信号25として出力される。復号化されて出力された受信信号25は第2層スイッチ154とエッジルータ156を介して、メトロポリタンネットワーク158に伝送される。
【００９２】
図2では、詳細は省略して示してあるが、CDM受信部24においても、複数台のCDM受信器を設置して、CDM受信部24と同様に複数チャンネル分のデジタル情報信号をCDM方式で処理することできる構成とすることも可能である。この複数チャンネル分のデジタル情報信号をCDM方式で処理し、双方向通信することできる構成例については、第3実施例において詳説する。
【００９３】
以上説明した様に、CDM受信部24を同時に増設するPON通信システムのOLTを構成すれば、下り通信として実行されるCDM方式によるマルチキャスト送信あるいはブロードキャスト送信とは別に、このCDM受信部24を利用して、上り通信としてCDM方式によるデジタル情報信号を伝送できるPONシステムとして構成することが可能である。
【００９４】
次に、図3を参照して、第1実施例のPON通信システムが具える第3のタイプのONUであるONU 40の構成及びその動作について説明する。図3は、第1実施例のPON通信システムが具える第3のタイプのONUであるONU 40の概略的ブロック構成図である。
【００９５】
もちろん、第1実施例のPON通信システムにおいても、ONU群を構成するONUとして、第3のタイプのONUに加えて、第2のタイプのONUを設置してもよいし、第1のタイプのONUを設置してもよい。ただし、このように構成しても、第2のタイプのONUにおいては、既存のG-PON通信システムとしてのTDM方式による送受信が行えるが、上述のOLT 10の下り信号であるCDM信号79-1を受信することはできず、またCDM信号をOLT 10に向けて送信することもできない。また、第1のタイプのONUでは、CDM方式によるデジタル情報信号の送受信は行えるが、既存のG-PON通信システムが具えるTDM方式による送受信が行えない。
【００９６】
第3のタイプのONU 40は、加入者側TDM送受信部46と加入者側CDM送受信部48とを具えている。加入者側TDM送受信部46は、既存のG-PON通信システムとしての機能を果す部分であるので、G-PONシステム部46と表してある。
【００９７】
G-PONシステム部46は、既存のG-PONシステムのTDM方式による送受信を行う機能を有する部分である。加入者側TDM送受信部46の概略的構成については、図1を参照して説明した。図3においては、加入者側TDM送受信部46に対しては、既存のG-PONシステムのTDM方式によって、インターネットプロトコル（IP: Internet Protocol）による伝送を行う構成を例にとって示してある。従って、加入者側TDM送受信部46へのデジタル情報信号の入出力は、VoIP(Voice over Internet Protocol)技術による入出力端末装置80が接続されている。ここで、VoIP技術とは、音声信号を圧縮しパケットに変換した上で、IPフォーマットでリアルタイム伝送する技術をいう。
【００９８】
加入者側CDM送受信部48は、CDM送信部60と、CDM受信部62と、光合分岐器58と、波長分離フィルタ56とを具えている。
【００９９】
CDM送信部60はCDM信号59を生成して送信する機能を有し、このCDM信号59は、光合分岐器58を介して波長分離フィルタ56に入力されてOLT 10に向けて送信される。
【０１００】
CDM受信部62は、CDM受信器62-1、CDM受信器62-2、...、CDM受信器62-iで示したi台のCDM受信器が並列に配置され、それぞれのCDM受信器に入力されるCDM信号61は、光分岐器86でi分岐されてそれぞれCDM受信部62の、CDM受信器62-1、CDM受信器62-2、...、CDM受信器62-iに入力される。
【０１０１】
上述のように、CDM受信部62を構成すれば、OLT 10からONU群に向けて送信されるiチャンネル分のデジタル映像信号を受信することが可能となる。CDM受信器62-1、CDM受信器62-2、...、CDM受信器62-iのそれぞれには、上述したCDM送信器22-1、CDM送信器22-2、...、CDM送信器22-iのそれぞれに設定された符号と同一の符号が設定された復号器を設置する。
【０１０２】
CDM受信部62をこのような構成にすることによって、OLT 10からCDM方式で伝送されたiチャンネル分のデジタル映像情報を受信することが可能となり、チャンネルの選択は、それぞれに割り当てられている符号を選択することによって実行される。
【０１０３】
CDM受信器62-1、CDM受信器62-2、...、CDM受信器62-iのそれぞれの後段には、デジタル映像表示装置82-1、デジタル映像表示装置82-2、...、デジタル映像表示装置82-iが接続されており映像を見ることができる。デジタル映像表示装置82-1、デジタル映像表示装置82-2、...、デジタル映像表示装置82-iのそれぞれは、セットトップボックス（STB: Set-Top Box）を介してアイピーテレビジョン（IPTV）システムが接続されている。すなわち、STBによって、IPプロトコルフォーマットで送信されたデジタル映像信号を一般のテレビジョンで受信可能な信号に変換した上で、IPTVに入力する構成となっている。
【０１０４】
ここで、IPTVとは、インターネット等のメトロポリタンネットワークを介して提供される映像配信サービスによって提供されるコンテンツを見るためのTVセットを指す。従って、IPTVとは、一般のTVセットやパーソナルコンピュータと一体化されたTVシステム等が含まれる。
【０１０５】
以上説明した様に、第1実施例のPON通信システムに設置される図3に示す第3のタイプのONUによれば、メトロポリタンネットワーク158から供給される複数チャンネル分のデジタル映像信号を、OLT 10を介して受信することが可能となる。
【０１０６】
第3のタイプのONUの特徴は、既存のG-PONシステム部46に対して、光合分岐器38を介して並列させて、CDM送受信部48を増設することが可能である点にある。
【０１０７】
第3のタイプのONUとしては、CDM受信部62を増設するだけでなく、CDM送信部60を同時に増設することも可能である。CDM送信部60から出力される上り通信のCDM信号59は、光合分岐器58及び波長分離フィルタ56を介して、光合分岐器38に入力されて、OLT 10に向けて送信される。れによって、ONU-40からOLT 10に向けた上りデジタル情報通信をCDM方式で実行することが可能となる。
【０１０８】
[第２実施例]
図4及び図5を参照して、この発明に係る第2実施例のPON通信システムの構成及びその動作について説明する。図4は第2実施例のPON通信システムが具えるOLT 10の概略的ブロック構成図であり、図5は第2実施例のPON通信システムが具える第1及び第2のタイプのONUを含むONU群の概略的ブロック構成図である。図5において、ONU 44を第1のタイプのONUとして設定してONU-1と表し、ONU 42-2からONU 42-kのそれぞれを第2のタイプのOUNとして設定してONU-2からONU-kと表してある。
【０１０９】
図4を参照して第2実施例のPON通信システムが具えるOLT 10の構成及びその動作について説明する。
【０１１０】
OLT 10は、G-PONシステム部である局側TDM送受信部12（G-PONシステム部12）と、局側CDM送受信部14と、OLT用WDMフィルタ28とを具えており、第1のタイプのONU 44に対応するための局側CDM送受信部14の構成に特徴がある。ただし、第2実施例のPON通信システムが、上述の第1実施例のPON通信システムと異なるのは、次の点である。
【０１１１】
第1実施例のPON通信システムは、iチャンネル分のCDM方式によるデジタル映像信号を、マルチキャスト送信あるいはブロードキャスト送信するCDM-PONシステムを具えているのに対して、第2実施例のPON通信システムは、iチャンネル分のCDM方式によるデジタル情報信号を、ONU群と双方向通信するCDM-PONシステムを具えることである。この他の点については、第1実施例のPON通信システムと共通する。従って、G-PONシステム部12に関する説明は省略する。
【０１１２】
局側CDM送受信部14は、CDM送信部22とCDM受信部24と光合分岐器26とを具えている。
【０１１３】
CDM送信部22は、CDM送信器22-1、CDM送信器22-2、...、CDM送信器22-iで示したi台（iは2以上の整数である。）のCDM送信器が並列に配置されていて、ONU群と双方向通信を実行する。また、OLT 10からONU群に向けてデジタル映像信号をマルチキャスト送信あるいはブロードキャスト送信するためのCDM送信器22-jを具えている。CDM送信器22-1、CDM送信器22-2、...、CDM送信器22-i及びCDM送信器22-jから出力されるCDM信号は、光合波器78で合波されてCDM信号79-2として合成されて出力される。CDM信号79-2は、光合分岐器26を介してOLT用WDMフィルタ28に入力される。OLT用WDMフィルタ28に入力されたCDM信号79-2はPON 30を伝播してONU群に向けて送信される。
【０１１４】
上述のようにCDM送信部22を構成すれば、CDM送信器22-1、CDM送信器22-2、...、CDM送信器22-iに対してそれぞれ第1から第iチャンネルを割り当て、これに対応するONU群との双方向通信が可能となる。図4に示すようにOLT 10を構成すれば、iチャンネル分の双方向通信がONU群との間で可能となる。
【０１１５】
CDM送信器22-1、CDM送信器22-2、...、CDM送信器22-iと、ONU群との間で行われるiチャンネル分の下り通信のデジタル情報信号は、例えば、メトロポリタンネットワーク158に対して、エッジルータ156を介して双方向通信される構成とすることが可能である。iチャンネル分のデジタル情報信号は、エッジルータ156を介して第2層スイッチ152によって、CDM送信器22-1、CDM送信器22-2、...、CDM送信器22-iに分配されて供給される。
【０１１６】
第2実施例のPON通信システムとしては、CDM送信部22を増設するだけでなく、CDM受信部24を同時に増設することも可能である。CDM受信部24は、第1から第iチャンネルがそれぞれ割り当てられた、CDM受信器24-1からCDM受信器24-iのi台のCDM受信器と、第2層スイッチ154を具えて構成される。CDM方式による双方向通信を実現するため、ここで、第1から第iチャンネルに対しては、互いに相異なる符号を付与する。
【０１１７】
上り通信のCDM信号は、OLT用WDMフィルタ28を介して光合分岐器26で波長分岐されて、CDM受信部24に入力される。この場合は、光合分岐器26で分岐されて入力された上り通信のCDM信号23-2は、光分岐器84によってi分岐されて、それぞれCDM受信器24-1からCDM受信器24-iに入力される。CDM受信器24-1からCDM受信器24-iのそれぞれに入力されて復号化されて、受信信号25-1から25-iとして出力される。復号化されて出力された受信信号25-1から25-iは、第2層スイッチ154とエッジルータ156を介して、メトロポリタンネットワーク158に伝送される。
【０１１８】
以上説明した様に、第2実施例のPON通信システムのOLT 10が具える局側CDM送受信部14を構成すれば、ONU群とOLT 10との間で、iチャンネル分のCDMデジタル情報信号による双方向通信が可能となる。
【０１１９】
また、CDM送信器22-jは、デジタル映像信号をOLT 10からONU群に向けてマルチキャスト送信あるいはブロードキャスト送信することが可能となる。デジタル映像信号は、上述の第1実施例と同様に、例えば、メトロポリタンネットワーク158から、エッジルータ156および第2層スイッチ152を介してCDM送信器22-jに供給される。CDM送信器22-jに供給されたデジタル映像信号は、符号化されたデジタル映像信号に変換され、光合波器78、光合分岐器26及びOLT用WDMフィルタ28を介して、PON 30に入力されて、ONU群に向けて送信される。
【０１２０】
図4では、詳細は省略して示してあるが、CDM送信部22-jにおいても、複数台のCDM送信器を設置して、複数チャンネル分のデジタル映像信号をCDM方式で処理することできる構成とすることも可能である。この複数チャンネル分のデジタル情報信号をCDM方式で処理することできる構成例については、第3実施例において詳説する。
【０１２１】
以上説明した様にPON通信システムのOLTを構成すれば、CDM方式による双方向通信とは別に、下り通信としてCDM方式によるデジタル映像信号をマルチキャスト送信あるいはブロードキャスト送信が可能であるPONシステムが実現される。
【０１２２】
以上説明した様に、第2実施例のPON通信システムの特徴は、OLT 10において、既存のG-PONシステム部12に対して、OLT用WDMフィルタ28を設置して波長分離する構成とすることで、CDM送信部22及びCDM受信部24を具える局側CDM送受信部14を増設することが可能である点にある。
【０１２３】
次に、図5を参照して、第2実施例のPON通信システムが具える第1のタイプのONUであるONU 44、及び第2のタイプのONUであるONU 42-2及びONU 42-kの構成とその動作について説明する。ONU 44、ONU 42-2及びONU 42-kは、説明の便宜上、それぞれONU群の第1番目、2番目及びk番目のONUと定義してONU-1、ONU-2及びONU-kということもある。図5は、第2実施例のPON通信システムが具える第1のタイプのONU-1、及び第2のタイプのONU 42-2及びONU 42-kの概略的ブロック構成図である。
【０１２４】
もちろん、第2実施例のPON通信システムにおいても、第3タイプのONUを設置してもよいことは第1実施例のPON通信システムにおける場合と同様である。第3のタイプのONUが設置された場合は、上述した第1実施例で説明したように、第3のタイプのONUにおいて、OLT 10との間でCDM方式及びTDM方式による通信が可能である。また、第3タイプのONUを設置するか否かに関らず、第2タイプのONU-2及びONU-kにおいては、既存のG-PON通信システムとしてのTDM方式による送受信が行えるが、CDM方式による通信をすることはできない。また、第1のタイプのONU-1では、CDM方式による通信は行えるが、既存のG-PON通信システムが具えるTDM方式による送受信が行えない。
【０１２５】
第1のタイプのONU 44であるONU-1は、CDM送信部74とCDM受信部76とを具えている。すなわちONU-1は加入者側CDM送受信部を具え、加入者側TDM送受信部を具えていないONUである。
【０１２６】
CDM送信部74はCDM信号73を生成して送信する機能を有し、このCDM信号73は、光合分岐器72を介して波長分離フィルタ70に入力されてONT 10に向けて送信される。
【０１２７】
CDM受信部76は、CDM受信器76-1、CDM受信器76-j、及び光分岐器86-1を具えている。CDM受信器76-1は、OLT 10のCDM送信器22-1から送信されたCDM方式のデジタル情報信号を受信する。OLT 10のCDM送信器22-1から送信されるデジタル情報信号は、第1チャンネルに割り当てられている符号によって符号化されているので、CDM受信器76-1において、第1チャンネルに割り当てられている符号によって復号化されて受信される。CDM受信部76においては、CDM送信部74から、OLT 10に向けて、デジタル映像信号とは独立にデジタル情報信号を送信することが可能である。
【０１２８】
CDM受信器76-jは、OLT 10のCDM送信器22-jから送信されたCDM方式のデジタル映像信号を受信する。CDM受信器76-jの後段には、デジタル映像表示装置82-ｊが接続されており映像を見ることができる。デジタル映像表示装置82-jは、STBを介してIPTVシステムが接続されている。すなわち、OLT 10のCDM送信器22-jから送信されたCDM方式のデジタル情報信号は、デジタル映像表示装置82-ｊが具えるSTBによって、一般のテレビジョンで受信可能な信号に変換された上で、IPTVに入力され、映像情報がIPTVに表示される構成となっている。
【０１２９】
第2のタイプのONU 42-2及びONU 42-kは、それぞれ、既存のG-PONシステムのTDM方式による送受信を行うONUであり、その構造は両者とも等しい。第2実施例のPON通信システムの一例として、既存のG-PONシステムのTDM方式による送受信を行うONUを複数台具えた構成を示しているが、その台数はいくらであってもよい。
【０１３０】
図5では、これらのG-PONシステム部は、既存のG-PONシステムのTDM方式によって、IPによる伝送を行う構成を例にとって示してある。すなわち、これらのG-PONシステム部へのデジタル情報信号の入出力は、VoIP技術による入出力端末装置80が接続されている。
【０１３１】
以上説明した様に、第2実施例のPON通信システムに設置される図5に示す第1のタイプのONU-1によれば、メトロポリタンネットワーク158から供給される特定のチャンネルのデジタル映像信号を、OLT 10を介して受信することが可能となる。
【０１３２】
第1のタイプのONUとしては、CDM受信部76を特定のチャンネルのデジタル映像信号を受信するだけでなく複数チャンネル分のデジタル映像信号を受信するためには、第1実施例のPON通信システムのONU 40が具えるCDM受信部62と同様にCDM受信器を複数台並列して設置する構成とすればよい。この場合には、OLT 10のCDM送信器22-jを、第1実施例のOPON通信システムのOLT 10が具えるCDM送信部22と同様の構成とする必要がある。
【０１３３】
[第３実施例]
図6から図8を参照して、この発明に係る第3実施例のPON通信システムの構成及びその動作について説明する。図6は第3実施例のPON通信システムで採用するCDM信号の伝送方式の説明に供する図であり、図7は第3実施例のPON通信システムが具えるOLT 10の概略的ブロック構成図であり、図8は第3実施例のPON通信システムが具える第1のタイプのONUを複数含むONU群の概略的ブロック構成図である。
【０１３４】
第3実施例のPON通信システムにおいては、ONU群が、M台の第1のタイプのONUを具えていることが特徴である。ここで、Mは2以上の整数である。第3実施例のPON通信システムは、複数チャンネルでCDM方式の双方向通信を行う機能を充実させた点が特徴である。そのため、第3実施例のPON通信システムにおいては、CDM方式のデジタル方式の双方向通信の伝送効率の向上のため、後述するように、ONUごとに時間軸上に時間スロットを個別に割り当て、ONUごとのCDM信号をTDM方式で多重送受信する方式を採用している。
【０１３５】
まず、図6を参照して、第3実施例のPON通信システムにおけるCDM-PONシステムの伝送方式について説明する。図6は、第3実施例のPON通信システムにおけるCDM信号の多重方法の説明に供する図であり、横軸に時間を任意スケールで目盛って示してある。
【０１３６】
第3実施例のPON通信システムが具える、第1のタイプのONUで構成されるのONU群がONU 44-1からONU 44-Mで構成されているものとする。以後の説明の便宜上、ONU 44-1からONU 44-Mに対して順番に1からM番の番号を付して、ONU-1からONU-Mと記載する。
【０１３７】
ここで、第3実施例のPON通信システムが、ONU-1からONU-Mに対しては、それぞれOLT 10との間でkチャンネル分のCDM方式による送受信が可能であるように構成されているものとする。このような送受信が可能であるようにOLT 10及びONU群の構成をどのように具体的に実現するかは後述するものとして、ここでは、図6を参照してONU-1からONU-Mに対して割り当てられる時間スロットが時間軸上にどのように分配されるかについて説明する。
【０１３８】
図6に示すように、TDMの一周期をM等分してM個の時間スロットが設けられ、このM個の時間スロットに対して、ONU-1からONU-MまでのONUが順に分配される。すなわち、時間軸上にONU-1からONU-Mのそれぞれに分配された時間スロットが配列された後は、再び同様に、時間軸上にONU-1からONU-Mのそれぞれに分配された時間スロットが配列される。この繰り返しによって、CDM信号がTDM方式によって伝送可能な状態となる。時間軸上にONU-1からONU-Mのそれぞれに分配された時間スロットが一通り配列されている時間をTDM周期という。
【０１３９】
時間軸上でONU-1に分配された時間スロットでは、第1チャンネルから第kチャンネルのkチャンネル分のデジタル情報信号が符号化されてCDMされている。すなわち、時間軸上でONU-1からONU-Mのそれぞれに分配された時間スロットのすべてにおいて、第1チャンネルから第kチャンネルのデジタル情報信号が符号化されてCDMされている。
【０１４０】
図7を参照して、第3実施例のPON通信システムが具えるOLT 10の構成及びその動作について説明する。
【０１４１】
OLT 10は、局側TDM送受信部12と、局側CDM送受信部14と、OLT用WDMフィルタ28とを具えており、第1のタイプのONU-1からONU-Mに対応するための局側CDM送受信部14の構成に特徴がある。局側TDM送受信部12は、既存のG-PONシステムとしての機能を果すためのG-PONシステム部12としてあるが、この部分の構成及び動作は、上述した第1及び第2実施例のPON通信システムと同様であるので、ここでは説明を省略する。
【０１４２】
第3実施例のPON通信システムが具える局側CDM送受信部14の基本構成とその動作は以下のとおりであり、その特徴はCDM送信部22とCDM受信部24の構成にある。
【０１４３】
局側CDM送受信部14は、CDM送信部22とCDM受信部24と光合分岐器26とを具えている。CDM送信部22はCDM信号21を生成して送信する機能を有し、このCDM信号21は、光合分岐器26を介してOLT用WDMフィルタ28に入力されてONU群に向けて送信される。CDM受信部24は、OLT用WDMフィルタ28によって波長分離されて光合分岐器26を介して入力された、ONU群から送信されたCDM信号23を受信する。従って、局側CDM送受信部14は、CDM信号21を生成して送信し、かつONUから送信されたCDM信号23を受信する機能を有する。
【０１４４】
CDM送信部22は、ONU-1からONU-Mにそれぞれ対応するCDM送信器22-1から22-Mを具えている。CDM送信器22-1から22-Mのそれぞれの前段には、CDM送信器22-1から22-Mのそれぞれ供給するCDM信号の時間遅延を付加する時分割多元接続装置（Time Division Multiple Access装置）TDMA 90-1からTDMA 90-Mがそれぞれ配置されている。
【０１４５】
CDM送信器22-1から22-Mに入力されるCDM信号99は、メトロポリタンネットワーク158からエッジルータ98を介して第2層スイッチ94に入力されて、第2層スイッチ94によって、CDM送信器22-1から22-Mにそれぞれ入力するCDM信号に分岐される。第2層スイッチ94からは、CDM送信器22-1から22-Mのそれぞれに対してCDM信号が供給される。
【０１４６】
TDMA 90-1は、第2層スイッチ94から出力されCDM送信器22-1に入力するCDM信号を、図6に示すONU-1に分配された時間スロットに収まるように時間遅延を与える機能を有している。同様に、TDMA 90-2は、第2層スイッチ94から出力されODM送受信器22-2に入力するCDM信号をONU-2に分配された時間スロットに収まるように時間遅延を与える機能を有し、TDMA 90-Mは、第2層スイッチ94から出力されODM送受信器22-Mに入力するCDM信号をONU-Mに分配された時間スロットに収まるように時間遅延を与える機能を有している。
【０１４７】
CDM送信器22-1から22-Mのそれぞれからは、ONU-からONU-Mのそれぞれに向けて送信されるCDM信号が符号化されて出力される。CDM送信器22-1から22-Mのそれぞれから出力されたCDM信号は、光合波器150で多重されてCDM信号21として生成されて出力される。CDM信号21は、光合分岐器26を介してOLT用WDMフィルタ28に入力されてONU群に向けて送信される。
【０１４８】
CDM受信部24は、ONU-1からONU-Mにそれぞれ対応するCDM受信器24-1から24-Mを具えている。CDM受信器24-1から24-Mのそれぞれの後段には、CDM受信器24-1から24-Mのそれぞれから出力されるCDM信号の時間遅延を除去する時分割多元接続装置TDMA 92-1からTDMA 92-Mがそれぞれ配置されている。
【０１４９】
CDM受信器24-1から24-Mのそれぞれには、ONU-1からONU-Mのそれぞれから送信されたCDM信号が入力される。CDM受信器24-1から24-Mのそれぞれに入力されたCDM信号は復号化されて出力される。
【０１５０】
CDM受信器24-1から24-Mのそれぞれから復号化された出力されたCDM信号は、それぞれの後段に設置されているTDMA 92-1からTDMA 92-Mに入力される。TDMA 92-1は、CDM受信器24-1から出力された復号化されたCDM信号の遅延時間を除去する機能を有している。同様に、TDMA 92-2は、CDM受信器24-2から出力された復号化されたCDM信号の遅延時間を除去する機能を有し、TDMA 92-Mは、CDM受信器24-Mから出力された復号化されたCDM信号の遅延時間を除去する機能を有している。
【０１５１】
TDMA 92-1からTDMA 92-Mのそれぞれから遅延時間が除去されて出力されたCDM信号は、第2層スイッチ96及びエッジルータ98を介してメトロポリタンネットワーク158に伝送される。
【０１５２】
すなわち、CDM受信部24は、OLT用WDMフィルタ28によって波長分離されて光合分岐器26を介して局側CDM送受信部14に入力された、ONUから送信されたCDM信号23を受信し、第2層スイッチ96及びエッジルータ98を介してメトロポリタンネットワーク158に伝送する機能を有している。従って、局側CDM送受信部14は、CDM信号21を生成して送信し、かつONUから送信されたCDM信号23を受信する機能を有している。
【０１５３】
以上説明した様に、第3実施例のPON通信システムのONUが具える局側CDM送受信部14を構成すれば、ONU群とOLT 10との間で、ONU群を構成するONUごとに時間軸上に時間スロットを個別に割り当て、CDM信号をTDM方式で多重送受信する方式によって、CDMデジタル情報信号による双方向通信が可能となる。すなわち、第3実施例のPON通信システムは、kチャンネル分のデジタル情報信号をCDM方式で処理することできる構成となっている。
【０１５４】
次に、図8を参照して、第3実施例のPON通信システムが具える第1のタイプのONUであるONU 44-1から44-Mの構成とその動作について説明する。ONU 44-1から44-Mは、説明の便宜上、それぞれONU群の第1番目、2番目及びM番目のONUと定義してONU-1、ONU-2及びONU-Mということもある。図8は、第3実施例のPON通信システムが具える第1のタイプのONU-1からONU-Mの概略的ブロック構成図である。NU-1からONU-Mの構成は全て同じであるので、ここではONU-1を取り上げて説明する。
【０１５５】
もちろん、第3実施例のPON通信システムにおいても、ONU群を構成するONUとして、第2及び第3タイプのONUも設置してよいことは第1及び第2実施例のPON通信システムにおける場合と同様である。
【０１５６】
第1のタイプのONUであるONU-1は、CDM送信部74と、CDM受信部76と、光合分岐器72と、波長分離フィルタ70とを具えている。
【０１５７】
CDM送信部74は、CDM送信器74-1から74-kのk台のCDM送信器を具えており、CDM送信器74-1から74-kのそれぞれから出力されるCDM信号は、光合波器88で合波されてCDM信号73として生成されて出力される。このCDM信号73は、光合分岐器72を介して波長分離フィルタ70に入力されてONT 10に向けて送信される。
【０１５８】
CDM送信器74-1から74-kには、それぞれ符号C1からCkが割り当てられ、CDM送信器74-1から74-kから出力されるCDM信号は、それぞれ符号C1からCkによって符号化された信号である。
【０１５９】
一方、CDM受信部76は、CDM受信器76-1から76-kのk台のCDM受信器を具えており、CDM受信器76-1から76-kに入力されるCDM信号は、波長分離フィルタ70によって波長分離されて、光合分岐器72を介してCDM受信部76に入力された、ONUから送信されたCDM信号75である。
【０１６０】
すなわち、CDM受信部76は、OLT 10から送信されたCDM信号を波長分離フィルタ70、光合分岐器72を介して受信する機能を有している。光合分岐器72から出力されるCDM信号75は、光分岐器90によってk分割されて、それぞれCDM受信器76-1から76-kに入力される。
【０１６１】
CDM受信器76-1から76-kには、それぞれ符号C1からCkが割り当てられており、CDM受信器76-1から76-kに入力されるCDM信号75は、それぞれ符号C1からCkによって復号化されて、受信動作が完了する。
【０１６２】
以上説明した様に、第3実施例のPON通信システムに設置される図8に示す第1のタイプのONU-1によれば、メトロポリタンネットワーク158から供給されるkチャンネル分のデジタル情報信号を、OLT 10を介して受信することが可能となる。
【０１６３】
なお、第3実施例では、ONUが全ての符号チャンネルを発生させる構成例を示したが、ONUは1つの符号チャンネルを発生させる構成とすることも、もちろん可能である。この場合のONUの数は、最大で(時間スロットの数M)と(符号チャンネル数k)との積で与えられる。すなわち、この場合のONUの数は、(時間スロットの数M)×(符号チャンネル数k)となる。
【０１６４】
また、第1〜第3実施例の説明は、CDM信号を光信号の状態で合波を行いあるいは分配を行う構成として記載したが、CDM信号を電気信号の状態で合波してから、光信号に変換して送信する構成とすることも可能である。あるいは、光信号の状態のCDM信号を受信して電気信号の状態に変換してから分配する構成とすることも可能である。すなわち、CDM信号を電気信号の形態で合波を行いあるいは分配を行う構成としてもよい。CDM信号を光信号の状態で合波を行いあるいは分配を行う構成とするか、電気信号の状態で合波を行いあるいは分配を行う構成とするかは、設計的事項に属する。
【図面の簡単な説明】
【０１６５】
【図１】この発明の実施の形態のPON通信システムの概略的ブロック構成図である。
【図２】第1実施例のPON通信システムのOLTの概略的ブロック構成図である。
【図３】第1実施例のPON通信システムが具える第3のタイプのONUの概略的ブロック構成図である。
【図４】第2実施例のPON通信システムのOLTの概略的ブロック構成図である。
【図５】第2実施例のPON通信システムが具える第1のタイプ及び第2のタイプのONUの概略的ブロック構成図である。
【図６】第3実施例のPON通信システムにおけるCDM信号の多重方法の説明に供する図である。
【図７】第3実施例のPON通信システムのOLTの概略的ブロック構成図である。
【図８】第3実施例のPON通信システムが具える第1のタイプのONUを複数含むONU群の概略的ブロック構成図である。
【符号の説明】
【０１６６】
10：局側終端装置（OLT）
12：局側時分割多重送受信部（局側TDM送受信部、G-PONシステム部）
14：局側符号分割多重送受信部（局側CDM送受信部、G-PONシステム部）
16、52、66：TDM送信部
18、54、68：TDM受信部
20、50、64：TDM用WDMフィルタ
22、60、74：CDM送信部
24、62、76：CDM受信部
26、32、38、58、72、86-1：光合分岐器
28：局側終端装置用波長多重フィルタ（OLT用WDMフィルタ）
30：受動光ネットワーク（PON）
34：光ファイバ伝送路
36-1、36-2、36-3：サブ光ファイバ伝送路
40、42、42-2、42-k、44、44-1、44-2、44-M：加入者側終端装置（ONU）
46：加入者側時分割多重送受信部（加入者側TDM送受信部）
48：加入者側符号分割多重送受信部（加入者側CDM送受信部）
56、70：波長分離フィルタ
78、88、150：光合波器
80：入出力端末装置
82-1、82−2、...82-i：デジタル映像表示装置
84、90：光分岐器
86、86-1：光分岐器
152、154：第2層スイッチ
156：エッジルータ
158：メトロポリタンネットワーク
【図１】
2009194524.tif 000003
【図２】
2009194524.tif 000004
【図３】
2009194524.tif 000005
【図４】
2009194524.tif 000006
【図５】
2009194524.tif 000007
【図６】
2009194524.tif 000008
【図７】
2009194524.tif 000009
【図８】
2009194524.tif 000010